【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
ユーザ操作に応じて取得されたキー入力データを記憶するキー入力データ記憶手段と、
前記キー入力データが取得される毎に当該キー入力データに応じて計算機表示画面を生成して記憶する表示画面記憶手段と、
前記キー入力データが取得される毎に前記キー入力データ記憶手段により記憶されたキー入力データに対応するキーキャラクタの画像および前記表示画面記憶手段により記憶された計算機表示画面の画像を出力するキー入力対応画像出力手段と、
前記キー入力データが取得される毎に、当該キー入力データが不要なキー入力データであるか否かを判断する不要キー入力判断手段と、
この不要キー入力判断手段により前記キー入力データが取得された際のキー入力データが不要なキー入力データであると判断された場合には、前記キー入力データ記憶手段により記憶されたキー入力データから当該不要なキー入力データを消去し、該消去後のキー入力データに対応するキーキャラクタの画像を、前記キー入力対応画像出力手段により前記表示画面記憶手段により記憶された計算機表示画面の画像と共に出力させる不要キー対応制御手段と、
を備えたことを特徴とする電子機器。
【請求項２】
前記不要キー入力判断手段は、前記キー入力データが取得された際に、当該キー入力データが削除を指示するキー入力データであるか否かを判断し、
前記不要キー対応制御手段は、前記不要キー入力判断手段により前記キー入力データが取得された際のキー入力データが削除を指示するキー入力データであると判断された場合に、前記キー入力データ記憶手段により記憶されたキー入力データから当該削除指示のキー入力データおよびその直前のキー入力データを消去し、該消去後のキー入力データに対応するキーキャラクタの画像を、前記キー入力対応画像出力手段により前記表示画面記憶手段により記憶された計算機表示画面の画像と共に出力させる、
ことを特徴とする請求項１に記載の電子機器。
【請求項３】
前記不要キー入力判断手段は、前記キー入力データが取得された際に、当該キー入力データに対応する処理が存在しない無効なキー入力データであるか否かを判断し、
前記不要キー対応制御手段は、前記不要キー入力判断手段により前記キー入力データが取得された際のキー入力データが無効なキー入力データであると判断された場合に、前記キー入力データ記憶手段により記憶されたキー入力データから当該無効なキー入力データを消去し、該消去後のキー入力データに対応するキーキャラクタの画像を、前記キー入力対応画像出力手段により前記表示画面記憶手段により記憶された計算機表示画面の画像と共に出力させる、
ことを特徴とする請求項１に記載の電子機器。
【請求項４】
前記キー入力対応画像出力手段は、前記キー入力データに対応するキーキャラクタの画像を予め設定された色に色付けしたキーキャラクタの画像として出力する、ことを特徴とする請求項１ないし請求項３の何れか１項に記載の電子機器。
【請求項５】
ユーザ操作に応じて画像の拡大を指示する拡大指示手段と、
この拡大指示手段により画像の拡大が指示された場合に、前記キー入力対応画像出力手段により出力されたキー入力データに対応するキーキャラクタの画像および当該キー入力データに応じて生成された計算機表示画面の画像に対しユーザ操作に応じて指定された位置の画像部分を認識する指定画像認識手段と、
前記キー入力対応画像出力手段により出力されたキー入力データに対応するキーキャラクタの画像および当該キー入力データに応じて生成された計算機表示画面の画像のうち、前記指定画像認識手段により認識された画像部分を拡大し、当該キー入力対応画像出力手段による画像の出力を行わせる指定画像拡大制御手段と、
をさらに備えたことを特徴とする請求項１ないし請求項４の何れか１項に記載の電子機器。
【請求項６】
電子機器のコンピュータを制御して画像を出力するための電子機器制御プログラムであって、
前記コンピュータを、
ユーザ操作に応じて取得されたキー入力データをメモリに記憶するキー入力データ記憶手段、
前記キー入力データが取得される毎に当該キー入力データに応じて計算機表示画面のデータを生成してメモリに記憶する表示画面記憶手段、
前記キー入力データが取得される毎に前記キー入力データ記憶手段によりメモリに記憶されたキー入力データに対応するキーキャラクタの画像および前記表示画面記憶手段によりメモリに記憶された計算機表示画面の画像を出力するキー入力対応画像出力手段、
前記キー入力データが取得される毎に、当該キー入力データが不要なキー入力データであるか否かを判断する不要キー入力判断手段、
この不要キー入力判断手段により前記キー入力データが取得された際のキー入力データが不要なキー入力データであると判断された場合に、前記キー入力データ記憶手段によりメモリに記憶されたキー入力データから当該不要なキー入力データを消去し、該消去後のキー入力データに対応するキーキャラクタの画像を、前記キー入力対応画像出力手段により前記表示画面記憶手段によりメモリに記憶された計算機表示画面の画像と共に出力させる不要キー対応制御手段、
として機能させるようにしたコンピュータ読み込み可能な電子機器制御プログラム。
【手続補正２】
【補正対象書類名】明細書
【補正対象項目名】０００７
【補正方法】変更
【補正の内容】
【０００７】
本発明に係る電子機器（電子機器制御プログラム）は、ユーザ操作に応じて取得されたキー入力データを記憶するキー入力データ記憶手段と、前記キー入力データが取得される毎に当該キー入力データに応じて計算機表示画面を生成して記憶する表示画面記憶手段と、前記キー入力データが取得される毎に前記キー入力データ記憶手段により記憶されたキー入力データに対応するキーキャラクタの画像および前記表示画面記憶手段により記憶された計算機表示画面の画像を出力するキー入力対応画像出力手段と、前記キー入力データが取得される毎に、当該キー入力データが不要なキー入力データであるか否かを判断する不要キー入力判断手段と、この不要キー入力判断手段により前記キー入力データが取得された際のキー入力データが不要なキー入力データであると判断された場合には、前記キー入力データ記憶手段により記憶されたキー入力データから当該不要なキー入力データを消去し、該消去後のキー入力データに対応するキーキャラクタの画像を、前記キー入力対応画像出力手段により前記表示画面記憶手段により記憶された計算機表示画面の画像と共に出力させる不要キー対応制御手段とを備えたことを特徴としている。
【手続補正３】
【補正対象書類名】明細書
【補正対象項目名】０００８
【補正方法】変更
【補正の内容】
【０００８】
また、本発明に係る電子機器において、前記不要キー入力判断手段は、前記キー入力データが取得された際に、当該キー入力データが削除を指示するキー入力データであるか否かを判断し、前記不要キー対応制御手段は、前記不要キー入力判断手段により前記キー入力データが取得された際のキー入力データが削除を指示するキー入力データであると判断された場合に、前記キー入力データ記憶手段により記憶されたキー入力データから当該削除指示のキー入力データおよびその直前のキー入力データを消去し、該消去後のキー入力データに対応するキーキャラクタの画像を、前記キー入力対応画像出力手段により前記表示画面記憶手段により記憶された計算機表示画面の画像と共に出力させることを特徴としている。
【手続補正４】
【補正対象書類名】明細書
【補正対象項目名】０００９
【補正方法】変更
【補正の内容】
【０００９】
また、本発明に係る電子機器において、前記不要キー入力判断手段は、前記キー入力データが取得された際に、当該キー入力データに対応する処理が存在しない無効なキー入力データであるか否かを判断し、前記不要キー対応制御手段は、前記不要キー入力判断手段により前記キー入力データが取得された際のキー入力データが無効なキー入力データであると判断された場合に、前記キー入力データ記憶手段により記憶されたキー入力データから当該無効なキー入力データを消去し、該消去後のキー入力データに対応するキーキャラクタの画像を、前記キー入力対応画像出力手段により前記表示画面記憶手段により記憶された計算機表示画面の画像と共に出力させることを特徴としている。
【手続補正５】
【補正対象書類名】明細書
【補正対象項目名】００１１
【補正方法】変更
【補正の内容】
【００１１】
また、本発明に係る電子機器は、ユーザ操作に応じて画像の拡大を指示する拡大指示手段と、この拡大指示手段により画像の拡大が指示された場合に、前記キー入力対応画像出力手段により出力されたキー入力データに対応するキーキャラクタの画像および当該キー入力データに応じて生成された計算機表示画面の画像に対しユーザ操作に応じて指定された位置の画像部分を認識する指定画像認識手段と、前記キー入力対応画像出力手段により出力されたキー入力データに対応するキーキャラクタの画像および当該キー入力データに応じて生成された計算機表示画面の画像のうち、前記指定画像認識手段により認識された画像部分を拡大し、当該キー入力対応画像出力手段による画像の出力を行わせる指定画像拡大制御手段とをさらに備えたことを特徴としている。